(57)【要約】【課題】多数端末装置がアクセスする通信環境で、スループットを向上させること。【解決手段】基地局装置から割当てられた無線リソースがグラントフリーアクセスリソースかスケジュールドアクセスリソースかを示す情報、及び、前記スケジュールドアクセスにおける送信電力制御情報（第１の送信電力制御情報）及び前記グラントフリーアクセスにおける送信電力制御情報（第２の送信電力制御情報）を受信する受信部と、前記基地局装置に送信信号を送信する送信部と、を備え、前記スケジュールドアクセスリソースで通信する場合は、前記第１の送信電力制御情報に基づいて送信電力制御を行って送信信号を送信し、前記グラントフリーアクセスリソースで通信する場合は、前記第２の送信電力制御情報に基づいて送信電力制御を行って送信信号を送信する。【選択図】図８
2019125818.tif 000002
【特許請求の範囲】
【請求項１】
基地局装置と通信する端末装置であって、
基地局装置から割当てられた無線リソースがグラントフリーアクセスリソースかスケジュールドアクセスリソースかを示す情報、並びに前記スケジュールドアクセスにおける送信電力制御情報（第１の送信電力制御情報）及び前記グラントフリーアクセスにおける送信電力制御情報（第２の送信電力制御情報）を受信する受信部と、
前記基地局装置に送信信号を送信する送信部と、を備え、
前記スケジュールドアクセスリソースで通信する場合は、前記第１の送信電力制御情報に基づいて送信電力制御を行って送信信号を送信し、
前記グラントフリーアクセスリソースで通信する場合は、前記第２の送信電力制御情報に基づいて送信電力制御を行って送信信号を送信する端末装置。
【請求項２】
前記第１の送信電力制御情報は、送信電力値又は送信電力制御パラメータが含まれており、前記送信電力値が含まれている場合は該送信電力で送信し、前記送信電力制御パラメータが含まれている場合は該送信電力制御パラメータに基づいて算出された送信電力で送信する請求項１に記載の端末装置。
【請求項３】
前記グラントフリーアクセスで通信する場合、前記第２の送信電力制御情報に含まれる送信制御パラメータに基づいて算出された電力にランダムな電力オフセットを加えた送信電力で送信する請求項１に記載の端末装置。
【請求項４】
前記グラントフリーアクセスで通信する場合、最大送信電力と前記第２の送信電力制御情報に含まれる送信電力制御パラメータに基づいて算出された送信電力との差分であるパワーヘッドルームを算出し、該パワーヘッドルームが負の値の場合、前記基地局装置にスケジュールドアクセスを要求する請求項１に記載の端末装置。
【請求項５】
端末装置と通信する基地局装置であって、
前記端末装置を割り当てた無線リソースがグラントフリーアクセスかスケジュールドアクセスかを示す情報、並びに前記スケジュールドアクセスにおける送信電力制御情報（第１の送信電力制御情報）及び前記グラントフリーアクセスにおける送信電力情報（第２の送信電力情報）を送信する送信部と、
前記端末装置から信号を受信する受信部と、を備え、
前記グラントフリーアクセスリソースかスケジュールドアクセスリソースかを示す情報がスケジュールドアクセスを示す場合、前記第１の送信電力制御情報に基づいて送信電力制御が行われた信号を受信し、
前記グラントフリーアクセスリソースかスケジュールドアクセスリソースかを示す情報がグラントフリーアクセスを示す場合、前記第２の送信電力制御情報に基づいて送信電力制御が行われた信号を受信する基地局装置。
【請求項６】
前記第１の送信電力制御情報は、送信電力値又は送信電力制御パラメータが含まれており、前記送信電力値が含まれている場合は該送信電力で送信された信号を受信し、前記送信電力制御パラメータが含まれている場合は該送信電力制御パラメータに基づいて算出された送信電力で送信された信号を受信する請求項５に記載の基地局装置。
【請求項７】
前記グラントフリーアクセスリソースかスケジュールドアクセスリソースかを示す情報がグラントフリーアクセスを示す場合、前記第２の送信電力制御情報に含まれる送信制御パラメータに基づいて算出された電力にランダムな電力オフセットを加えた送信電力で送信された信号を受信する請求項５に記載の基地局装置。
【請求項８】
基地局装置と通信する端末装置における通信方法であって、
基地局装置から割当てられた無線リソースがグラントフリーアクセスリソースかスケジュールドアクセスリソースかを示す情報、並びに前記スケジュールドアクセスにおける送信電力制御情報（第１の送信電力制御情報）及び前記グラントフリーアクセスにおける送信電力制御情報（第２の送信電力制御情報）を受信する受信ステップと、
前記基地局装置に送信信号を送信する送信ステップと、を備え、
前記スケジュールドアクセスリソースで通信する場合は、前記第１の送信電力制御情報に基づいて送信電力制御を行って送信信号を送信し、
前記グラントフリーアクセスリソースで通信する場合は、前記第２の送信電力制御情報に基づいて送信電力制御を行って送信信号を送信する通信方法。
【請求項９】
端末装置と通信する基地局装置における通信方法であって、
前記端末装置を割り当てた無線リソースがグラントフリーアクセスかスケジュールドアクセスかを示す情報、並びに前記スケジュールドアクセスにおける送信電力制御情報（第１の送信電力制御情報）及び前記グラントフリーアクセスにおける送信電力情報（第２の送信電力情報）を送信する送信ステップと、
前記端末装置から信号を受信する受信ステップと、を備え、
前記グラントフリーアクセスリソースかスケジュールドアクセスリソースかを示す情報がスケジュールドアクセスを示す場合、前記第１の送信電力制御情報に基づいて送信電力制御が行われた信号を受信し、
前記グラントフリーアクセスリソースかスケジュールドアクセスリソースかを示す情報がグラントフリーアクセスを示す場合、前記第２の送信電力制御情報に基づいて送信電力制御が行われた信号を受信する通信方法。
【発明の詳細な説明】
【技術分野】
【０００１】
本発明は、端末装置、基地局装置および通信方法に関する。
【背景技術】
【０００２】
近年、次世代移動通信システムの検討が進められている。次世代移動通信システムでは、主に３つのユースケースを想定し、様々な要求を実現する無線技術が検討されている。３つのユースケースは、モバイルブロードバンドを拡張するｅＭＢＢ（enhanced Mobile Broad Band）、多数の端末装置からのアクセスが要求されるｍＭＴＣ（massive Machine Type Communication）、低遅延・高信頼性通信が要求されるＵＲＬＬＣ（Ultra Reliability and Low Latency Communication）である。
【０００３】
特にｍＭＴＣのように、多数の端末装置からアクセスされる場合には、従来の移動通信システムであるＬＴＥ（Long Term Evolution）では不十分であり、新たなアクセス技術
が必要と考えられる。例えば、受信側において干渉信号を除去または抑圧することを想定して、端末装置間で干渉が生じることを許容する非直交マルチアクセスが考えられる。非直交マルチアクセスは、端末装置間での干渉を想定しない直交マルチアクセスと比べて、大容量伝送が可能となる。上記のことは、非特許文献１に記載されている。
【先行技術文献】
【非特許文献】
【０００４】
【非特許文献１】NTT Docomo、“Study on NR New Radio Access Technology、”3GPP TSG RAN Meeting#71、2016年３月。
【発明の概要】
【発明が解決しようとする課題】
【０００５】
しかしながら、非直交アクセスでは、受信側で干渉信号を除去または抑圧するが、干渉が大きくなりすぎると干渉信号を除去または抑圧することができなくなり、スループットが劣化してしまうという問題がある。
【０００６】
本発明はこのような事情を鑑みてなされたものであり、多数端末装置がアクセスする通信環境で、スループットを向上させることができる基地局装置、端末装置及び通信方法を提供することにある。
【課題を解決するための手段】
【０００７】
上述した課題を解決するために本発明に係る基地局装置、端末装置および通信方法の構成は、次の通りである。
【０００８】
本発明の端末装置は、基地局装置と通信する端末装置であって、基地局装置から割当てられた無線リソースがグラントフリーアクセスリソースかスケジュールドアクセスリソースかを示す情報、並びに前記スケジュールドアクセスにおける送信電力制御情報（第１の送信電力制御情報）及び前記グラントフリーアクセスにおける送信電力制御情報（第２の送信電力制御情報）を受信する受信部と、前記基地局装置に送信信号を送信する送信部と、を備え、前記スケジュールドアクセスリソースで通信する場合は、前記第１の送信電力制御情報に基づいて送信電力制御を行って送信信号を送信し、前記グラントフリーアクセスリソースで通信する場合は、前記第２の送信電力制御情報に基づいて送信電力制御を行って送信信号を送信する。
【０００９】
また本発明の端末装置において、前記第１の送信電力制御情報は、送信電力値又は送信電力制御パラメータが含まれており、前記送信電力値が含まれている場合は該送信電力で送信し、前記送信電力制御パラメータが含まれている場合は該送信電力制御パラメータに基づいて算出された送信電力で送信する。
【００１０】
また本発明の端末装置において、前記グラントフリーアクセスで通信する場合、前記第２の送信電力制御情報に含まれる送信制御パラメータに基づいて算出された電力にランダムな電力オフセットを加えた送信電力で送信する。
【００１１】
前記グラントフリーアクセスで通信する場合、最大送信電力と前記第２の送信電力制御情報に含まれる送信電力制御パラメータに基づいて算出された送信電力との差分であるパワーヘッドルームを算出し、該パワーヘッドルームが負の値の場合、前記基地局装置にスケジュールドアクセスを要求する。
【００１２】
また本発明の基地局装置は、端末装置と通信する基地局装置であって、前記端末装置を割り当てた無線リソースがグラントフリーアクセスかスケジュールドアクセスかを示す情報、並びに前記スケジュールドアクセスにおける送信電力制御情報（第１の送信電力制御情報）及び前記グラントフリーアクセスにおける送信電力情報（第２の送信電力情報）を送信する送信部と、前記端末装置から信号を受信する受信部と、を備え、前記グラントフリーアクセスリソースかスケジュールドアクセスリソースかを示す情報がスケジュールドアクセスを示す場合、前記第１の送信電力制御情報に基づいて送信電力制御が行われた信号を受信し、前記グラントフリーアクセスリソースかスケジュールドアクセスリソースかを示す情報がグラントフリーアクセスを示す場合、前記第２の送信電力制御情報に基づいて送信電力制御が行われた信号を受信する。
【００１３】
また本発明の端末装置において、前記第１の送信電力制御情報は、送信電力値又は送信電力制御パラメータが含まれており、前記送信電力値が含まれている場合は該送信電力で送信された信号を受信し、前記送信電力制御パラメータが含まれている場合は該送信電力制御パラメータに基づいて算出された送信電力で送信された信号を受信する。
【００１４】
また本発明の端末装置において、前記グラントフリーアクセスリソースかスケジュールドアクセスリソースかを示す情報がグラントフリーアクセスを示す場合、前記第２の送信電力制御情報に含まれる送信制御パラメータに基づいて算出された電力にランダムな電力オフセットを加えた送信電力で送信された信号を受信する。
【００１５】
また本発明の通信方法は、基地局装置と通信する端末装置における通信方法であって、基地局装置から割当てられた無線リソースがグラントフリーアクセスリソースかスケジュールドアクセスリソースかを示す情報、並びに前記スケジュールドアクセスにおける送信電力制御情報（第１の送信電力制御情報）及び前記グラントフリーアクセスにおける送信電力制御情報（第２の送信電力制御情報）を受信する受信ステップと、前記基地局装置に送信信号を送信する送信ステップと、を備え、前記スケジュールドアクセスリソースで通信する場合は、前記第１の送信電力制御情報に基づいて送信電力制御を行って送信信号を送信し、前記グラントフリーアクセスリソースで通信する場合は、前記第２の送信電力制御情報に基づいて送信電力制御を行って送信信号を送信する。
【００１６】
また本発明の通信方法は、端末装置と通信する基地局装置における通信方法であって、前記端末装置を割り当てた無線リソースがグラントフリーアクセスかスケジュールドアクセスかを示す情報、並びに前記スケジュールドアクセスにおける送信電力制御情報（第１の送信電力制御情報）及び前記グラントフリーアクセスにおける送信電力情報（第２の送信電力情報）を送信する送信ステップと、前記端末装置から信号を受信する受信ステップ
と、を備え、前記グラントフリーアクセスリソースかスケジュールドアクセスリソースかを示す情報がスケジュールドアクセスを示す場合、前記第１の送信電力制御情報に基づいて送信電力制御が行われた信号を受信し、前記グラントフリーアクセスリソースかスケジュールドアクセスリソースかを示す情報がグラントフリーアクセスを示す場合、前記第２の送信電力制御情報に基づいて送信電力制御が行われた信号を受信する通信方法。
【発明の効果】
【００１７】
本発明によれば、スループットを向上させることができる。
【図面の簡単な説明】
【００１８】
【図１】本実施形態に係る通信システムの例を示す図である
【図２】本実施形態に係る時間領域におけるグラントフリーアクセスとスケジュールドアクセスの割当ての一例を示す図である
【図３】本実施形態に係る周波数領域におけるグラントフリーアクセスとスケジュールドアクセスの割当ての一例を示す図である
【図４】本実施形態に係る非直交マルチアクセスの一例を示す図である
【図５】本実施形態に係る非直交マルチアクセスの一例を示す図である
【図６】本実施形態に係る非直交マルチアクセスの一例を示す図である
【図７】本実施形態に係る基地局装置の構成例を示すブロック図である
【図８】本実施形態に係る端末装置の構成例を示すブロック図である
【発明を実施するための形態】
【００１９】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。また端末装置と接続している（無線リンクを確立している）基地局装置をサービングセルと呼ぶ。
【００２０】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。
【００２１】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２２】
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００２３】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２４】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００２５】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）、好適なＣＳＩ−ＲＳリソースを
示すＣＳＩ−ＲＳ（Reference Signal、参照信号）リソース指標ＣＲＩ（CSI-RS Resource Indication）などが該当する。
【００２６】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率に
より定められたインデックス（CQI Index）とすることができる。前記ＣＱＩ値は、予め
当該システムで定めたものをすることができる。
【００２７】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２８】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２９】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００３０】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３１】
ＰＲＡＣＨは、ランダムアクセスプリアンブルを送信するために用いられる。
【００３２】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Soundin
g Reference Signal）が含まれる。
【００３３】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００３４】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００３５】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭシンボルの数）を指示する情報を送信するために用いられる。
【００３６】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００３７】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００３８】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３９】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４０】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４１】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４２】
また、上りリンクに対するＤＣＩフォーマットは、下りリンクのチャネル状態情報（ＣＳＩ；Channel State Information。受信品質情報とも称する。）を要求（CSI request）するために用いることができる。
【００４３】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４４】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００４５】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４６】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００４７】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４８】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４９】
また、ＰＤＳＣＨは、ＲＲＣメッセージを送信するために用いられる。ここで、基地局
装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００５０】
ここで、ＲＲＣメッセージおよび／またはＭＡＣ  ＣＥを、上位層の信号（higher layer signaling）とも称する。
【００５１】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００５２】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００５３】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５４】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００５５】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５６】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５７】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５８】
ＮＺＰ  ＣＳＩ−ＲＳのリソースは、基地局装置１Ａによって設定される。例えば、端
末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００５９】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００６０】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６１】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００６２】
また、キャリアアグリゲーション（CA; Carrier Aggregation）をサポートしている端
末装置に対して、基地局装置は、より広帯域伝送のため複数のコンポーネントキャリア（CC; Component Carrier）を統合して通信することができる。キャリアアグリゲーション
では、１つのプライマリセル（ＰＣｅｌｌ；Primary Cell）及び１または複数のセカンダリセル（ＳＣｅｌｌ；Secondary Cell）がサービングセルの集合として設定される。
【００６３】
また、デュアルコネクティビティ（DC; Dual Connectivity）では、サービングセルの
グループとして、マスターセルグループ（MCG; Master Cell Group）とセカンダリセルグループ（SCG; Secondary Cell Group）が設定される。ＭＣＧはＰＣｅｌｌとオプション
で１又は複数のＳＣｅｌｌから構成される。またＳＣＧはプライマリＳＣｅｌｌ（ＰＳＣｅｌｌ）とオプションで１又は複数のＳＣｅｌｌから構成される。
【００６４】
また、端末装置は、上りリンクグラントでＰＵＳＣＨのリソースがスケジュールされた場合、スケジュールされた（割当てられた）ＰＵＳＣＨで上りリンクデータを送信するスケジュールドアクセスで基地局装置と通信することができる。また、端末装置は、上りリンクグラント（スケジューリング）なしで上りリンクデータを送信するグラントフリーアクセス（コンテンションベースアクセス）で基地局装置と通信することができる。例えばグラントフリーアクセスは、基地局装置から設定されたリソース領域又は予め設定されたリソース領域内で、端末装置は決められたリソース又はランダムなリソースを用いて通信することができる。グラントフリーアクセスは、スケジューリングに係るプロセスが簡略化されることによる遅延の低減や、制御情報が低減されることによるオーバーヘッド低減が可能となる。
【００６５】
なお、受信機で干渉キャンセラ等を適用したとしても、基地局装置で干渉キャンセルできない場合がある。基地局装置で干渉キャンセルできずに誤りを検出した場合、基地局装置は各端末装置に再送を要求することができる。
【００６６】
例えば、基地局装置は、スケジュールドアクセスが可能なリソース（領域）とグラントフリーアクセスが可能なリソース（領域）を設定することができる。図２は、時間リソース（サブフレーム、シンボル）に設定した場合の例である。また、スケジュールドアクセスが可能なサブフレームをスケジュールドサブフレームとも呼び、グラントフリーアクセスが可能なサブフレームをグラントフリーサブフレームとも呼ぶ。図２は、ＳＦ１からＳＦ５の５サブフレームを示しており、ＳＦ１、ＳＦ３、ＳＦ５がスケジュールドサブフレーム、ＳＦ２、ＳＦ４がグラントフリーサブフレームとなる例である。また、スケジュールドサブフレームとグラントフリーサブフレームは固定でもよいし、基地局装置が端末装置にどのサブフレームがスケジュールドサブフレームかグラントフリーサブフレームかを設定又は指示することもできる。また、スケジュールドサブフレームかグラントフリーサブフレームかの設定又は指示は、例えばＲＲＣシグナリングやシステム情報などで端末装置固有の設定とすることもできるし、ブロードキャストなどでセル内共通の設定とすることもできる。ブロードキャストする方法は、例えば、基地局装置は下りリンク制御情報を用いてダイナミックに指示することができる。また、端末装置は、下りリンク制御情報が所定のＲＮＴＩ（Radio Network Temporary Identifier）でスクランブルされている場合に、スケジュールドサブフレームかグラントフリーサブフレームかの設定又は指示が下りリンク制御情報に含まれていると判断することができる。また、端末装置がハンドオーバする場合、基地局装置はハンドオーバ先のセルのグラントフリーサブフレーム又はスケジュールドサブフレームを知らせることができる。
【００６７】
なお、グラントフリーアクセスかスケジュールドアクセスかは、基地局装置が端末装置に指示又は設定することもできるし、端末装置が要求することもできる。また、ＣＡ又はＤＣの場合、グラントフリーアクセスが可能なセル、スケジュールドアクセスが可能なセルがあってもよい。この場合、グラントフリーアクセスをするセルとスケジュールドアクセスをするセルがＣＡ又はＤＣされる。
【００６８】
また図３は、周波数領域でスケジュールドアクセス領域とグラントフリーアクセス領域を割り当てた例である。図３は、５つのブロックに分けられており、＃１から＃３がスケジュールドアクセス領域、＃４、＃５がグラントフリーアクセス領域となる例である。スケジュールドアクセス領域とグラントフリーアクセス領域は、固定でも良いし、基地局装置が端末装置に設定又は指示してもよい。
【００６９】
また、基地局装置は、スケジュールドアクセス領域とグラントフリーアクセス領域は、時間領域及び周波数領域で設定することができる。例えば、時間領域でグラントフリーサブフレームと設定されたサブフレームでは、一部の周波数リソースがグラントフリーアクセス領域、その他の周波数リソースはスケジュールドアクセス領域になることができる。また上記と同様に、スケジュールドサブフレームとグラントフリーサブフレームは、固定又は基地局装置が設定する。また、スケジュールドアクセス領域とグラントフリーアクセス領域は、固定又は基地局装置が設定する。また、基地局装置は、時間領域での設定と周波数領域での設定は別の設定とすることができる。
【００７０】
また、アクセス方式として、ＯＦＤＭＡ（Orthogonal Frequency Division Multiple Access）やＳＣ−ＦＤＭＡ（Single Carrier - FDMA）など端末装置が直交リソースに多重される直交マルチアクセス方式や、端末装置が非直交に多重される非直交マルチアクセス方式で通信することができる。非直交マルチアクセス方式では、例えば、使用するリソースよりも多い端末数が割当て可能である。つまり、非直交マルチアクセス方式は、受信装置において干渉が生じてしまうが、最尤検出、干渉キャンセラなどの高度な受信方式を備えることで、干渉信号の除去又は抑圧ができる。従って、干渉が除去できれば、非直交マルチアクセス方式は直交マルチアクセス方式よりも割当てられる端末数が増加するため、
周波数利用効率が良くなる。
【００７１】
非直交アクセス方式では、受信側（例えば基地局装置）で干渉信号を除去又は抑圧する受信方式を備えることを想定している。このとき、送信側（例えば端末装置）の各々で送信パラメータを変えて送信することで、受信品質を異なるようにすれば、干渉キャンセラの性能は向上する。送信パラメータは、例えば、送信電力（エネルギー）、ＭＣＳ（Modulation and coding scheme）、変調方式、符号化率、割当てリソース数（拡散率）、拡散コードである。
【００７２】
図４は、基地局装置が、異なる受信電力で各端末装置からの信号を受信した場合の例である。図４では、第１の端末装置（図中ではＵＥ１）からの受信電力は、第２の端末装置（図中ではＵＥ２）からの受信電力よりも大きいことを示している。受信電力を変えるためには、ある条件に従って送信電力を変える送信電力制御が考えられる。基地局装置は、送信電力制御のための送信電力制御情報を各端末装置に送信することができる。
【００７３】
スケジュールドアクセスで通信する場合、基地局装置は端末装置をスケジューリングするため、基地局装置で干渉信号を除去又は抑圧できるように非直交マルチアクセスすることができる。一例として、スケジュールドアクセスの場合に、送信電力制御によって各端末装置からの信号を異なる受信電力で受信する方法を説明する。例えば、基地局装置は、送信電力制御情報に固定の送信電力で送信するような指示又は設定を含めることができる。例えば、第１の端末装置が基地局装置から近くて受信電力が大きく、第２の端末装置が基地局装置から遠くて受信電力が小さい場合、第１の端末装置と第２の端末装置が同じ送信電力で送信すると、第１の端末装置と第２の端末装置の受信電力は異なる。なお、固定の送信電力は、複数あってもよい。この場合、基地局装置は複数の送信電力から１つの送信電力を端末装置に指示し、端末装置は指示された送信電力で信号を送信する。また、スケジュールドアクセスにおける送信電力制御情報を第１の送信電力制御情報とも呼ぶ。
【００７４】
また、多重される端末装置のいずれかの端末装置が、受信電力が一定となるように送信電力制御することができる。例えば、第１の送信電力制御情報は、固定の送信電力及び／又は送信電力制御パラメータを含む。第１の端末装置と第２の端末装置がマルチアクセスされる場合、基地局装置は第１の端末装置の送信電力制御情報には固定の送信電力を設定し、第２の端末装置の送信電力制御情報には送信電力制御パラメータを指示（設定）することができる。送信電力制御パラメータは、割当てリソースブロック（帯域幅）数、目標受信電力、パスロス補償値、オフセット、送信電力制御コマンドの一部又は全部である。送信電力制御パラメータに含まれる各々のパラメータは、サービングセル毎、サブフレーム毎に値が変わることができる。なお、目標受信電力は、基地局装置から設定されるセル内又は端末装置グループ内共通の電力値（名目上の受信電力）と端末装置固有の電力値の和である。パスロス補償値は、端末装置で計算される下りリンクパスロス推定値と０以上１以下のパスロス補償係数αとの積で求められる。なお、αは０、１を含む候補値の中から選択されてもよい。オフセットは、基地局装置から設定されるオフセット値である。送信電力制御コマンドは、下りリンク制御情報で指示されるオフセット値である。また端末装置は、送信電力制御パラメータを用いて送信電力を決定する場合、例えばＰＰＵＳＣＨ＝ｍｉｎ｛ＰＣＭＡＸ，１０ｌｏｇ１０（ＭＰＵＳＣＨ）＋ＰＯ＿ＰＵＳＣＨ＋α・ＰＬ＋ΔＴＦ＋ｆ｝のように送信電力を決定することができる。なお、ｍｉｎは｛｝内で最小値を選択することを示す。また、ＰＣＭＡＸは許容される最大送信電力、ＭＰＵＳＣＨは割当てリソースブロック数、ＰＯ＿ＰＵＳＣＨは目標受信電力、ＰＬはパスロス推定値、ΔＴＦは変調多値数に係るオフセット、ｆは送信電力制御コマンドを表している。また、端末装置で送信電力制御をするか否かは基地局装置から指示又は設定される。また、送信電力制御パラメータの各々は、同じシグナリングで送信されても良いし、一部のパラメータは上位層のシグナリングで送信され、残りのパラメータは物理層のシグナリングで送信
されることも可能である。
【００７５】
また、基地局装置は、受信電力差が付くように、端末装置の各々の送信電力を制御することができる。例えば、第１の端末装置と第２の端末装置がマルチアクセスする場合、基地局装置は、第１の端末装置と第２の端末装置の受信電力が異なるように送信電力制御パラメータを設定することができる。例えば、基地局装置は、パスロス補償係数αを端末装置毎に設定する。例えばある端末装置ではα＝１．０、別の端末装置ではα＝０．９に設定される。これにより、端末装置毎にパスロス補償値が変わり、受信電力差を付けることができる。また、基地局装置は、非直交マルチアクセス用のオフセット値ＰＮＯをさらに設定することもできる。この場合、端末装置はＰＮＯを考慮して、ＰＰＵＳＣＨ＝ｍｉｎ｛ＰＣＭＡＸ，１０ｌｏｇ１０（ＭＰＵＳＣＨ）＋ＰＯ＿ＰＵＳＣＨ＋α・ＰＬ＋ΔＴＦ＋ｆ＋ＰＮＯ｝のように送信電力を決定することができる。非直交マルチアクセス用のオフセット値ＰＮＯ又はＰＮＯの範囲／最大値は、基地局装置が指示することもできるし、所定の範囲内でランダムに端末装置が設定することができる。またＰＮＯ又はＰＮＯの範囲／最大値は送信電力制御パラメータに含めることもできる。
【００７６】
グラントフリーアクセスで通信する場合に、送信電力制御によって各端末装置からの信号を異なる受信電力で受信する方法を説明する。グラントフリーアクセスの場合、スケジュールドアクセスとは異なり、例えば、下りリンク制御情報で指示される送信電力コマンドは送信電力制御パラメータに含まれない。この場合、端末装置はＰＰＵＳＣＨ＝ｍｉｎ｛ＰＣＭＡＸ，１０ｌｏｇ１０（ＭＰＵＳＣＨ）＋ＰＯ＿ＰＵＳＣＨ＋α・ＰＬ＋ΔＴＦ｝のように送信電力制御コマンドｆを考慮せずに送信電力を決定する。また端末装置は、ランダムな電力オフセットを付けて信号を送信することができる。例えば、端末装置は、ある範囲内でランダムな電力オフセット値Ｐｒａｎｄを選択することができる。この場合、端末装置は、ＰＰＵＳＣＨ＝ｍｉｎ｛ＰＣＭＡＸ，１０ｌｏｇ１０（ＭＰＵＳＣＨ）＋ＰＯ＿ＰＵＳＣＨ＋α・ＰＬ＋ΔＴＦ＋Ｐｒａｎｄ｝のように送信電力を決定することができる。また、端末装置が選択した結果（値）は、基地局装置に送信される。もしくは、端末装置は、選択した値によって、スクランブルＩＤや参照信号系列の初期値などを変える。また基地局装置は、送信電力制御パラメータを含む送信電力制御情報を端末装置に送信することができる。なお、グラントフリーアクセスにおける送信電力制御情報を第２の送信電力制御情報とも呼ぶ。なお、Ｐｒａｎｄはスケジュールドアクセスで説明したＰＮＯと同じであってもよい。
【００７７】
また端末装置は、最大送信電力と送信電力制御パラメータに基づいて求められた送信電力との差であるパワーヘッドルーム（PH; Power Headroom）を基地局装置に報告する。端末装置は、ＰＨ＝ＰＣＭＡＸ−｛１０ｌｏｇ１０（ＭＰＵＳＣＨ）＋ＰＯ＿ＰＵＳＣＨ＋α・ＰＬ＋ΔＴＦ＋Ｐｒａｎｄ｝のようにＰＨを算出することができる。なお、ランダム要素を含まない送信電力余力を報告する場合、端末装置はＰｒａｎｄを考慮せずに、つまりＰｒａｎｄ＝０として、ＰＨを算出する。また、リソースが割当てられていないときにＰＨを報告する場合、端末装置はＭＰＵＳＣＨ＝１、Ｐｒａｎｄ＝０としてＰＨを算出する。
【００７８】
また、端末装置はＰＨによって、送信電力のオフセットを変えることができる。例えば、端末装置は、ＰＨがある閾値以上の場合、送信電力を大きくし、ＰＨがある閾値以下の場合、送信電力を小さくする。また、端末装置は、ＰＨが負の値の場合、グラントフリーアクセスをせずに、スケジュールドアクセスを基地局装置に要求することができる。この場合、端末装置は、ＰＰＵＳＣＨ＝ｍｉｎ｛ＰＣＭＡＸ，１０ｌｏｇ１０（ＭＰＵＳＣＨ）＋ＰＯ＿ＰＵＳＣＨ＋α・ＰＬ＋ΔＴＦ＋ＰＰＨ｝のように送信電力を決定することができる。ＰＰＨはＰＨによって値が変わるパラメータである。
【００７９】
別の例では、基地局装置は、ある端末装置間は直交多重させ、また別の端末装置間は非直交多重させることができる。図５の例では、ＵＥ１とＵＥ２が直交多重されるＵＥグループ１、ＵＥ３とＵＥ４が直交多重されるＵＥグループ２があり、ＵＥグループ１とＵＥグループ２は受信電力によって非直交多重される。直交多重は、例えば、拡散コードが用いられる。また、図６の例では、ＵＥ１とＵＥ２は拡散コードによる直交多重されたＵＥグループ１、ＵＥ３とＵＥ４は直交周波数多重されたＵＥグループ２であり、ＵＥグループ１とＵＥグループ２は受信電力によって非直交多重される。この場合、スケジュールドアクセスの場合、多くの端末装置を割当てることができる。また、グラントフリーアクセスの場合、端末装置は拡散コードや周波数リソースのような直交リソース及び送信電力からランダムな選択又は基地局装置からの指示によって、送信信号を送信する。これにより、基地局装置で干渉キャンセルができないような衝突の確率を減らすことができる。
【００８０】
また端末装置は、グラントフリーアクセスの機能をサポートしているか否か、非直交マルチアクセスの機能をサポートしているか否かの一部又は全部を端末装置に機能として基地局装置に送信することができる。基地局装置は、端末装置がサポートしている機能に関して、指示又は設定する。
【００８１】
図７は、本実施形態における基地局装置１Ａの構成を示す概略ブロック図である。図７に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００８２】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００８３】
上位層処理部１０１は、端末装置の機能（UE capability）等、端末装置に関する情報
を端末装置から受信する。言い換えると、端末装置は、自身の機能を基地局装置に上位層の信号で送信する。
【００８４】
なお、端末装置に関する情報は、その端末装置が所定の機能をサポートするかどうかを示す情報、または、その端末装置が所定の機能に対する導入およびテストの完了を示す情報を含む。また、所定の機能をサポートするかどうかは、所定の機能に対する導入およびテストを完了しているかどうかを含む。
【００８５】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、
１または０の１ビットを用いて通知してもよい。
【００８６】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００８７】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００８８】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、物理チャネル、および下りリンク参照信号を多重して、送受信アンテナ１０５を介して端末装置２に信号を送信する。
【００８９】
符号化部１０３１は、上位層処理部１０１から入力されたＨＡＲＱインディケータ、下りリンク制御情報、および下りリンクデータを、ブロック符号化、畳み込み符号化、ターボ符号化、ＬＤＰＣ（Low Density Parity Check;低密度パリティチェック）符号化、Ｐ
ｏｌａｒ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying
）、ＱＰＳＫ（Quadrature Phase Shift Keying）、１６ＱＡＭ（Quadrature Amplitude Modulation）、６４ＱＡＭ、２５６ＱＡＭ、１０２４ＱＡＭ等の予め定められた、または無線リソース制御部１０１１が決定した変調方式で変調する。
【００９０】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【００９１】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００９２】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【００９３】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【００９４】
無線受信部１０４１は、送受信アンテナ１０５を介して受信された上りリンクの信号を、ダウンコンバートによりベースバンド信号に変換し、不要な周波数成分を除去し、信号
レベルが適切に維持されるように増幅レベルを制御し、受信された信号の同相成分および直交成分に基づいて、直交復調し、直交復調されたアナログ信号をディジタル信号に変換する。
【００９５】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【００９６】
多重分離部１０４２は、無線受信部１０４１から入力された信号をＰＵＣＣＨ、ＰＵＳＣＨ、上りリンク参照信号などの信号に分離する。
【００９７】
また、多重分離部１０４２は、ＰＵＣＣＨとＰＵＳＣＨの伝搬路の補償を行なう。また、多重分離部１０４２は、上りリンク参照信号を分離する。
【００９８】
復調部１０４３は、ＰＵＣＣＨとＰＵＳＣＨに対して、ＢＰＳＫ、ＱＰＳＫ、１６ＱＡＭ、６４ＱＡＭ、２５６ＱＡＭ等の予め定められた、または自装置が端末装置２各々に上りリンクグラント又は上位層の信号で予め通知した変調方式を用いて受信信号の復調を行なう。また、シングルキャリア又はマルチキャリア、ＤＦＴ−ｓｐｒｅａｄｉｎｇを適用するか否かなどを通知していれば、復調部１０４３は、通知した情報を用いて受信信号を復調する。
【００９９】
復号部１０４４は、復調されたＰＵＣＣＨとＰＵＳＣＨの符号化ビットを、予め定められた符号化方式の、予め定められた、又は自装置が端末装置２に上りリンクグラント又は上位層の信号で予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１００】
図８は、本実施形態における端末装置２の構成を示す概略ブロック図である。図８に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１０１】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１０２】
上位層処理部２０１は、自端末装置がサポートしている端末装置の機能を示す情報を、送信部２０３に出力する。
【０１０３】
無線リソース制御部２０１１は、自端末装置の各種設定情報の管理をする。また、無線
リソース制御部２０１１は、上りリンクの各チャネルに配置される情報を生成し、送信部２０３に出力する。
【０１０４】
無線リソース制御部２０１１は、基地局装置から送信されたＣＳＩフィードバックに関する設定情報を取得し、制御部２０２に出力する。
【０１０５】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１０６】
制御部２０２は、チャネル状態情報生成部２０５が生成したＣＳＩを基地局装置に送信するように送信部２０３を制御する。
【０１０７】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１０８】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１０９】
また、無線受信部２０４１は、変換したディジタル信号からＣＰに相当する部分を除去し、ＣＰを除去した信号に対して高速フーリエ変換を行い、周波数領域の信号を抽出する。
【０１１０】
多重分離部２０４２は、抽出した信号を物理チャネル、および下りリンク参照信号に、それぞれ分離する。また、多重分離部２０４２は、チャネル測定から得られた所望信号のチャネルの推定値に基づいて、物理チャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１１１】
信号検出部２０４３は、ＰＤＳＣＨ、チャネル推定値を用いて、信号検出し、上位層処理部２０１に出力する。
【０１１２】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１１３】
符号化部２０３１は、上位層処理部２０１から入力された上りリンク制御情報、ＰＵＳＣＨを畳み込み符号化、ブロック符号化、ターボ符号化、ＬＰＤＣ符号化、Ｐｏｌａｒ符号化等の符号化を行う。
【０１１４】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１１５】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１１６】
多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１１７】
無線送信部２０３５は、多重された信号からベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１１８】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１１９】
尚、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１２０】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２１】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されてい
てもよいし、アナログ回路で構成されていてもよい。また、半導体技術の進歩により現在の集積回路に代替する集積回路化の技術が出現した場合、当該技術による集積回路を用いることも可能である。
【０１２２】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１２３】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１２４】
本発明は、端末装置、基地局装置および通信方法に用いて好適である。
【符号の説明】
【０１２５】
１Ａ  基地局装置
２Ａ、２Ｂ  端末装置
１０１  上位層処理部
１０２  制御部
１０３  送信部
１０４  受信部
１０５  送受信アンテナ
１０１１  無線リソース制御部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2019125818.tif 000003
【図２】
2019125818.tif 000004
【図３】
2019125818.tif 000005
【図４】
2019125818.tif 000006
【図５】
2019125818.tif 000007
【図６】
2019125818.tif 000008
【図７】
2019125818.tif 000009
【図８】
2019125818.tif 000010